【手続補正書】
【提出日】平成19年6月12日(2007.6.12)
【手続補正１】
【補正対象書類名】明細書
【補正対象項目名】特許請求の範囲
【補正方法】変更
【補正の内容】
【特許請求の範囲】
【請求項1】
複数の供給者がそれぞれ供給した事務機器の回収情報を一元的に管理する管理サーバであって、
回収された複数の事務機器の回収情報を前記供給者ごとに管理する管理手段と、
外部の情報処理装置から所定の通信回線を介して通知される、供給者を識別する識別情報を入力する入力手段と、
前記入力された識別情報に応じた回収情報を抽出する抽出手段と、
前記抽出された回収情報を事務機器の種別を識別可能にして、前記通信回線を介して前記情報処理装置に通知する通知手段とを有することを特徴とする管理サーバ。
【請求項2】
さらに、前記回収情報が所定の判定条件に達したか否かを判定する判定手段を有し、前記通知手段は、前記判定手段によって前記判定条件に達したと判定される回収情報を予め登録された通知先へ通知することを特徴とする請求項1に記載された管理サーバ。
【請求項3】
前記判定手段は、前記事務機器の種別ごとに前記判定を行うことを特徴とする請求項2に記載された管理サーバ。
【請求項4】
さらに、前記判定条件を設定するための画面情報を、前記通信回線を介して前記情報処理装置に送信する提供手段と、
前記画面情報に基づき指示される前記判定条件を示す情報を、前記通信回線を介して受信し、データベースに格納する格納手段とを有し、
前記格納手段は、前記判定条件を前記供給者ごとに前記データベースに格納し、前記通知手段は、前記データベースに格納された前記供給者ごとの判定条件に基づき前記通知を行うことを特徴とする請求項2に記載された管理サーバ。
【請求項5】
前記格納手段は、前記画面情報に基づき前記事務機器の種別ごとに指示される前記判定条件を示す情報を、前記通信回線を介して受信し、前記データベースに格納することを特徴とする請求項4に記載された管理サーバ。
【請求項6】
前記種別にはリサイクル処理の種別を示す情報が含まれ、前記抽出手段は、前記リサイクル処理の種別ごとに回収情報を抽出し、前記通知手段は、前記抽出された前記リサイクル処理の種別ごとの回収情報を、前記通信回線を介して前記情報処理装置に通知することを特徴とする請求項5に記載された管理サーバ。
【請求項7】
前記通知手段は、前記情報処理装置から前記通信回線を介して入力される回収情報の閲覧要求に応じて、前記閲覧要求に対応する回収情報を、前記通信回線を介して前記情報処理装置に通知することを特徴とする請求項1に記載された管理サーバ。
【請求項8】
さらに、前記通信回線を介して通信可能な情報処理端末に、回収依頼を設定するための画面情報を供給する供給手段と、
前記画面情報に基づき指示される前記事務機器の回収依頼を示す情報を、前記通信回線を介して受信する受付手段とを有することを特徴とする請求項1に記載された管理サーバ。
【請求項9】
前記通知手段は、前記受付手段が受信した回収依頼を示す情報を前記回収情報に含めて前記情報処理装置に通知することを特徴とする請求項8に記載された管理サーバ。
【請求項10】
さらに、前記回収依頼を示す情報を、前記複数の供給者の何れかに関連付けて、データベースに格納する関連付手段を有し、前記抽出手段は、前記識別情報によって識別される供給者に対応する回収予定情報を抽出し、前記通知手段は、前記抽出された回収予定情報を前記回収情報に含めて通知することを特徴とする請求項8に記載された管理サーバ。
【請求項11】
さらに、前記事務機器のユーザごとの回収実績を示す第一の履歴情報、および、前記供給者ごとの回収実績を示す第二の履歴情報を管理する履歴管理手段を有し、前記識別情報には、前記供給者を識別するための情報に加えて、回収依頼者を識別するための情報が含まれ、前記通知手段は、前記入力手段に入力される識別情報に応じて選択される前記第一または第二の履歴情報を、前記通信回線を介して前記情報処理装置に通知することを特徴とする請求項8に記載された管理サーバ。
【請求項12】
さらに、前記情報処理端末から受信される前記回収依頼を示す情報に応じて、回収日程を決定する決定手段と、
前記決定された回収日程を示す情報を、前記通信回線を介して前記情報処理端末に通知する予告手段とを有することを特徴とする請求項8に記載された管理サーバ。
【請求項13】
前記予告手段は、複数の情報処理端末から受信される回収依頼を示す情報に応じて、前記決定手段によって決定された回収日程を示す情報を、前記通信回線を介して前記情報処理端末に通知することを特徴とする請求項12に記載された管理サーバ。
【請求項14】
さらに、回収された事務機器から供給者コードを読み取り、その供給者コードによって識別される供給者に配送されるように、前記回収された事務機器の分別先を決定する分別手段を有することを特徴とする請求項1に記載された管理サーバ。
【請求項15】
さらに、前記複数の供給者の端末装置から前記通信回線を介して、供給者としての登録依頼を示す情報を受信する登録手段と、
供給者を特定し、回収された事務機器を分別するための供給者コードを、前記通信回線を介して前記端末装置に発行する発行手段とを有することを特徴とする請求項1に記載された管理サーバ。
【請求項16】
さらに、前記回収依頼を示す情報に基づき、回収用トラックが前記事務機器を回収する地域を決定する計画手段を有することを特徴とする請求項8に記載された管理サーバ。
【請求項17】
前記供給者コードは、前記事務機器に備わるメモリに記憶されていることを特徴とする請求項14に記載された管理サーバ。
【請求項18】
複数の供給者がそれぞれ供給した事務機器の回収情報を一元的に管理する回収実績の管理方法であって、
管理手段が、回収された複数の事務機器の回収情報を前記供給者ごとに管理し、
入力手段が、外部の情報処理装置から所定の通信回線を介して通知される、供給者を識別する識別情報を入力し、
抽出手段が、前記入力された識別情報に応じた回収情報を抽出し、
通知手段が、前記抽出された回収情報を、前記通信回線を介して前記情報処理装置に通知することを特徴とする管理方法。
【請求項19】
さらに、判定手段が、前記回収情報が所定の判定条件に達したか否かを判定し、前記通知手段が、前記判定条件に達したと判定される回収情報を予め登録された通知先へ通知することを特徴とする請求項18に記載された管理方法。
【請求項20】
前記判定は、前記事務機器の種別ごとに行われることを特徴とする請求項19に記載された管理方法。
【請求項21】
さらに、送信手段が、前記判定条件を設定するための画面情報を、前記通信回線を介して前記情報処理装置に送信し、
受信手段が、前記画面情報に基づき指示される前記判定条件を示す情報を、前記通信回線を介して受信し、
格納手段が、前記受信した判定条件を前記供給者ごとにデータベースに格納し、
前記通知手段が、前記データベースに格納された前記供給者ごとの判定条件に基づき前記通知を行うことを特徴とする請求項19に記載された管理方法。
【請求項22】
前記格納手段が、前記画面情報に基づき前記事務機器の種別ごとに指示される前記判定条件を示す情報を、前記通信回線を介して受信し、前記データベースに格納することを特徴とする請求項21に記載された管理方法。
【請求項23】
前記種別にはリサイクル処理の種別を示す情報が含まれ、前記抽出手段が前記リサイクル処理の種別ごとに回収情報を抽出し、前記通知手段が前記抽出された前記リサイクル処理の種別ごとの回収情報を、前記通信回線を介して前記情報処理装置に通知することを特徴とする請求項22に記載された管理方法。
【請求項24】
前記通知手段が、前記情報処理装置から前記通信回線を介して入力される回収情報の閲覧要求に応じて、前記閲覧要求に対応する回収情報を、前記通信回線を介して前記情報処理装置に通知することを特徴とする請求項18に記載された管理方法。
【請求項25】
さらに、供給手段が、前記通信回線を介して通信可能な情報処理端末に、回収依頼を設定するための画面情報を供給し、
受付手段が、前記画面情報に基づき指示される前記事務機器の回収依頼を示す情報を、前記通信回線を介して受信することを特徴とする請求項18に記載された管理方法。
【請求項26】
前記通知手段が、前記受信した回収依頼を示す情報を前記回収情報に含めて前記情報処理装置に通知することを特徴とする請求項25に記載された管理方法。
【請求項27】
さらに、関連付け手段が、前記回収依頼を示す情報を、前記複数の供給者の何れかに関連付けて、データベースに格納し、
前記抽出手段が、前記識別情報によって識別される供給者に対応する回収予定情報を抽出し、
前記通知手段が、前記抽出された回収予定情報を前記回収情報に含めて通知することを特徴とする請求項25に記載された管理方法。
【請求項28】
さらに、履歴管理手段が、前記事務機器のユーザごとの回収実績を示す第一の履歴情報、および、前記供給者ごとの回収実績を示す第二の履歴情報を管理し、前記識別情報には、前記供給者を識別するための情報に加えて、回収依頼者を識別するための情報が含まれ、前記通知手段が、前記入力手段によって入力される識別情報に応じて選択される前記第一または前記第二の履歴情報を、前記通信回線を介して前記情報処理装置通知することを特徴とする請求項25に記載された管理方法。
【請求項29】
さらに、決定手段が、前記情報処理端末から受信される回収依頼を示す情報に応じて、回収日程を決定し、
予告手段が、前記決定された回収日程を示す情報を、前記通信回線を介して前記情報処理端末に通知することを特徴とする請求項25に記載された管理方法。
【請求項30】
前記予告手段が、複数の情報処理端末から受信される回収依頼を示す情報に応じて決定された回収日程を示す情報を、前記通信回線を介して前記情報処理端末に通知することを特徴とする請求項29に記載された管理方法。
【請求項31】
さらに、分別手段が、回収された事務機器から供給者コードを読み取り、読み取った供給者コードによって識別される供給者に配送されるように、前記回収された事務機器の分別先を決定することを特徴とする請求項18に記載された管理方法。
【請求項32】
さらに、登録手段が、前記複数の供給者の端末装置から前記通信回線を介して、供給者としての登録依頼を示す情報を受信し、
発行手段が、供給者を特定し、回収された事務機器を分別するための供給者コードを、前記通信回線を介して前記端末装置に発行することを特徴とする請求項18に記載された管理方法。
【請求項33】
さらに、計画手段が、前記回収依頼を示す情報に基づき、回収用トラックが前記事務機器を回収する地域を決定することを特徴とする請求項25に記載された管理方法。
【請求項34】
前記供給者コードは、前記事務機器に備わるメモリから読み出されることを特徴とする請求項31に記載された管理方法。
【請求項35】
前記供給者は、前記事務機器を製造または販売する者であることを特徴とする請求項18に記載された管理方法。
【請求項36】
前記事務機器には、トナー、インク、トナーまたはインクが収容されたカートリッジ、および、感光体または感光体ユニットが含まれることを特徴とする請求項18に記載された管理方法。
【請求項37】
情報処理装置を制御して、請求項18から請求項36の何れか一項に記載された回収実績の管理を実行することを特徴とするコンピュータプログラム。
【請求項38】
請求項37に記載されたコンピュータプログラムが記録されたことを特徴とするコンピュータが読取可能な記憶媒体。